(57)【要約】【課題】  水、電気の供給、交通の便等に大きな障害をもたらす大災害時、被災者が避難エリア内あるいはできるだけその近くにおいて、速やかに組み立て、使用開始できる緊急用公衆トイレ。通常時にも地域住民に役立つ機能を有し、耐久性に優れ、災害時には障害者を含む大人数の被災者が、安全かつ衛生的に使用できる工夫を施す。【解決手段】  平常時は、アート性豊かな石モザイクフラワーポットまたはベンチとして機能するが、災害時は、トイレに組み立て直すことのできる構造を持たせる。石造りのため数十年の使用に耐え、トイレ組み立て備品一切をフラワーポットの下層内部、またはベンチの天板下の収納スペースに良好な状態で保管できる。緊急時、便槽は既存のマンホールを活用し、その上に保管スペースから即座に取り出した備品を組み立て、トイレとして使用する。【選択図】      図２
2008284048.tif 000002
【特許請求の範囲】
【請求項１】
通常の使用は並列された2個一組のベンチ、又はフラワーポットであるが、災害時
には2個を並列組から指示書に従い、矩形（ほぼ正方形に）配列することにより、和式（
しゃがみ込み式）又は洋式の屋外簡易トイレとして使用可能な、便器取り付けの切り込み
を持つ組み立て台座。
【請求項２】
通常時は屋外ファニチャーとして２個並列のベンチ又はフラワーポットとして使用
するが、災害時においては、ベンチの台座下、又はフラワーポットのプランターの下の完
全に区画された空間に、トイレの組立用品を収納する構造。（収納品である、目隠しシー
ト、シートの骨組み（長さ約１ｍ）、便層、組立て用工具、説明書等を長期にわたり保管
出来る耐久性を有する収納スペースの構造）
【請求項３】
災害時多数の避難者が使用する仮設トイレは、すぐに排泄物が便器の下に山盛り状
態となり、排便に使用できなくなることが多い。この問題点を緩和するため、便器の汚物
落し口下部に直径１２０ｍｍ、長さ６００ｍｍ程度のホースを取り付け、汚物をマンホー
ル内に万遍なく落とし込むシュートを取り付ける。シュートの下端には紐を付けておき、
上から紐を操作することで、汚物の落ちる位置をマンホール内のどの位置にも移動できる
仕組み。
【請求項４】
防災トイレを設置するマンホール蓋に予め、開閉式の直径１５０ｍｍ程度の排便穴
を開けておくことで災害時のトイレ組み立てを容易にする。この排便穴により、直径６０
０ｍｍ以上の大型マンホールでもトイレ組み立てが可能になる、小窓付きマンホール蓋。
【発明の詳細な説明】
【技術分野】
【０００１】
本発明は災害時に使用できるマンホールトイレに関するものである。
【背景技術】
【０００２】
従来、マンホールを便槽に利用した多くのトイレがある（特許文献１、２参照）
【特許文献１】特開２００５−１４３８７１号公報（A）
【特許文献２】特開２００３−２３０５５２号公報
【発明の開示】
【発明が解決しようとする課題】
【０００３】
前記従来のものでは、保管場所を要する。また、一部の商品は、災害の後、ゴミとして
処理しなければならないという問題があった。
【課題を解決するための手段】
【０００４】
何時起きてもおかしくないと言われる関東大震災級の災害を想定して、必要数の緊急用公衆トイレを備えることは、各自治体の急務である。災害時、特にビル崩壊等でライフラインが破壊された大都市の過密地域においては、多大な混乱が予想される。避難場所となるエリアで、トイレ問題に対応可能になるまでに、従来の大災害の例では、約3日間を要している。その間、排泄は人目につかない場所等で行わざるを得ないことが多い。この問題解決の一手段として、公園、幅広の歩道、ポケットパーク等に予め、簡易トイレの組み立て部材セットを常設することで、避難者の速やかなトイレ使用を可能にする。当発明は、簡易トイレに必要な目隠し、便槽等の必要部品を、平常時にはベンチあるいはフラワーポットとして使用する石（あるいは石モザイク）張り台座内に収納、いつでも取り出しが可能である。トイレとしての耐久性、機能が優れているのみならず、平常時景観上も質の高いデザインが施され、屋外ファニチャーとしての実用性も高いものである。
【０００５】
非常時はトイレ、平常時は屋外ファニチャーという多機能性を持たせることで、保管場所を不要とする。また、躯体の使用材料を石、石モザイクとすることで、屋外での耐久性を持たせる。
【０００６】
当発明の製作に関する技術的、理念的ベースは、知的障害者の自立と社会参加を目的として考案された廃材利用の床モザイク（例えば、特許文献２参照）にある。エコ平板と命名して開発されたこの床モザイクは、これまで多くの官民工事において、公園、歩道、中庭等に採用され、製作過程において知的障害者たちが習得、向上させてきた繊細な表現技術は、健常者に勝る共劣らぬものと高く評価され、価格的にも既存の同等品を凌ぐ市場競争力を有している。知的障害者たちがエコ平板製作を通して獲得したモザイク平板作りの技術をさらに、より安定的な需要が見込まれる防災製品に活用し、彼らの街づくりへの参画範囲を拡大することが、製品開発の大きな目標である。石、モザイク、コンクリートを素材とした優れたデザインの外見、平常時はベンチ、フラワーポットとして恒久的に使用可能でありながら、災害時用組立式トイレ一式を常時保管でき、緊急時には、設置場所にてトイレをくみたて、使用できる多機能の製品とする。
【特許文献３】特開２０００−１７０１０２号公報  従来、ベンチ、フラワーポット等の屋外ファニチャーは、主として、木、コンクリート、鋼板、プラスチック等で製作されてきた。剥き出しのコンクリート製品は景観材としての外観が貧相であり、コンクリートの上にペンキ塗装等を施した場合は、数年経つと塗装が剥げ、見苦しくなる。鉄製、木製、プラスチック製の場合も、雨風に晒されることにより同様に劣化、腐食が避けられず、恒久的使用は困難である。納入時に良好な機能及び外観を備えていても、数年の年月の経過で品質が劣化の一途を辿る素材を使用した製品では、何時起きるか分からない災害に備えるツールとしては不適格である。したがって、当発明のベンチ、フラワーポットは、石材及びモザイクから成る。屋外使用の防災トイレの素材は、通常の屋外ファニチャーの耐用年数をはるかに超える耐用性を有する必要がある。特に内部に収納する目隠し用テント、ポール、工具等の劣化、腐食の防止機能をも併せ持たなければならない。そのために、素材を石板、石モザイクを基調として組み立てた製品とする。このことで、長い年月に耐え、その美観を失わない製品が出来上がる。材料となる石板やモザイクは、現在石工事現場で多量に廃材として発生しているものを主に活用し、コストの高い石材材料費を製品原価から可能な限り取り除く。併せて処理の困難な石材廃材を有効利用するリサイクル事業。当発明の製作に、知的障害者の特性を活かし、アート面での付加価値を付ける。福祉作業所に通う障害者に与えられる仕事は少なく、かつ「仕事」と呼べないほどの低賃金で袋詰め等の単純作業に携わるのが全国的な傾向である。（工賃は月額手取り1万円以下が大半）そのような状況を打開するため２０００年より多くの福祉作業所で取り組まれている、石、レンガ等の廃材を利用した石モザイク製作技能を当発明の製作に活用する。当発明の製作には、モザイクデザイン、組み立て材料選定等２５以上の工程が含まれ、これらの複合的な作業をこなすことで、アート的な感覚、労働意欲、技術的な能力を掘り起こし、向上させるセラピー的な効果も期待できる。製作方法は、危険度の低い限られた工具の使用を前提として、障害者の能力に応じて受け持つ工程の範囲に柔軟性を持たせることができる。自分の感性を基に、細かく砕いて使える石の選別、色合わせ、微細なモザイク作業を行って一個一個の製品を仕上げていく作業は、効率のみを追求する一般の単純作業とは異なり、障害者が無理なく、達成感を持って取り組むことのできる作業である。セメント二次製品的な修景材にアート的な色彩が濃い装飾が施された製品であることが、従来の建設分野で多用されてきた無味乾燥のコンクリート二次製品と大きく異なる。特にリサイクルを事業の一部にする福祉作業所で働く障害者のための仕事として、当発明品の製作はふさわしい。
【発明の効果】
【０００７】
近年大規模災害時に発生する諸問題の中で、特に深刻な問題は、緊急時の公衆トイレの確保である。情報の途切れた混乱状態の中、緊急防災用トイレの確保は迅速に行う必要がある。一般住民が知ることのない役所内部等の保管場所から組立式トイレを運び、担当者が組立を行うのが従来のやり方であるが、水道や電気、ときには交通等のライフラインが断たれた中で、より迅速にトイレ使用を可能にするためには、組み立て品一式が常日頃より、人々の生活の場の近く（避難場所となるエリアの中か、その付近）にあること、一般住民でも通常の訓練により組み立てが可能な、通常時は、ベンチやフラワーポットの機能を持ち、緊急時には、簡易トイレとして転用できる台座を提供することが出来る。
【発明を実施するための最良の形態】
【０００８】
以下、本発明を実施例をもって説明する。
一例として、災害時用組立式簡易トイレのパーツを平常時より災害避難場所周辺のベンチ（縦約３５ｃｍ横約６５ｃｍ高さ約３６ｃｍ）及びフラワーポット（縦約３５ｃｍ横約６５ｃｍ高さ約３５ｃｍ）にスペースを設け、収納しておく。ベンチ及びフラワーポットは、組み直すことにより、災害時の便座の台座（図２）となる。また目隠しの骨組となるポールの固定差込口は、台座に穴（符号３）があり、差し込み可能な構造。平常時ベンチ及びフラワーポットとして利用する場合は図７のように、それぞれ２個１組として、横長に配列して使うことにより縦長さ１ｍの組み立てポール、目隠しシートを収納するスペースがベンチの座板の下、フラワーポットの花の下の仕切り板の下に作られる。２個を１セットとすることで災害時にマンホールまで持ち運びやすい重さとする。またトイレとして組み立てる場合、幅約７０ｃｍ、縦約６７ｃｍの面積で大人一人が台座の上で用を足す大きさに組み合わされる寸法。
便器、目隠しシート、組み立てポール等の工具は、ベンチ及びフラワーポット下部に収納し、ベンチの台座の下に図５の記号１６または図１０の記号１６のスペースを作る。石、レンガ等で作られたこのスペースは、長い年月、備品を保管できる構造となっている。災害時にベンチ、フラワーポットを持ち上げると内部に保管された備品を取り出すことができる。地面に敷かれている図１の符号６の石板は、トイレとして組み立てられた時には、図２の符号６の便器前の踏み板となる。便器の据付は、図２の符号８のように配列された中に、組み立てられる便器の先端についているアングルのビス穴にビスをねじ込み、フラワーポット及びベンチそれぞれ２個１セット固定をする。これにより台座の直径６０ｃｍのマンホールに落ち込み防止、またはマンホールの上ガタツキ防止となる。便器のマンホール内への落とし口は、図２の便座の外に作る場合（和式）と図１２（洋式）の便座の内側に作る場合がある。
便器は、腐食しないステンレス等の金属又は劣化の少ないプラスチックで図２の符号９
のように形成する。取り付け場所の躯体の石等は、予め便器が取り付く部分を削り取って
おく。便器は、図２、符号８のビスで固定する。目隠しを取り付けるポールは、図９、符
号１３のように、躯体に差し込み、固定する。縦の骨組（断面図９、符号１３）は、２本
をジョイントで接続する。縦軸の組み立て完了後、横軸をジョイントにはめ込み、骨組み
の接続を終える。目隠しシート（図９、符号１２）は、予め下地骨組みに合わせ裁断して
おき、図９、符号１３の骨組みに縛り付ける。出入り口部は、カーテン状に開閉が可能。
また、内部からの開き止めあり。  
〔平常時の実施対応〕
平常時にベンチ、フラワーポット共、災害時のトイレとしての組み立て場所を想定した
上で、便槽として使用するマンホールの近くで、交通等の妨げにならない公園、ポケット
パークなどの場所に並列設置しておく。近隣住民、公園管理者、下水道管理者を含め、実
際の取り付け訓練を定期的に行い、非常時に備える。重量もあり、イタズラなどで荒らさ
れる恐れの少ない構造ではあるが、通常設置されている消火設備同様、管理者による管理
の下で災害に備える。平常時はフラワーポット、ベンチとして身近な生活空間の中で、人
々に親しまれているので、適切な準備を怠らなければ、従来品より一般の人々に大きな違
和感なく使用される製品。
〔災害時の実施対応〕
災害時はベンチ、フラワーポットを一度横に寝かせ、内部に保管されている備品及び
敷石等を取り出す。台座となる躯体部分は、２人以上で指定されているマンホールまで運
ぶ。マンホールの蓋を外し、指示書通りに組み立てを行う。組み立て完了後は、カーテン
を開き、1人ずつ使用。一個のベンチ、フラワーポットが大人２人で移動可能。製品を持
ち上げ、内部の組み立て用パーツを取り出す。通常時は、子どもなどが容易に移動させる
ことはできない重量。内部の備品がイタズラ等されないよう、接着材で仮止めすることも
できる。
〔排便落し口〕
落し口はマンホールの端に位置する。地震等でマンホール内の排水が途絶え汚物を水洗
できず、大多数の使用により汚物が山盛り状態になる事態に備え、汚物を均等に落とすた
めに図９、符号２９のシュートが付いている。シュートの先端についている紐の操作によ
り、落下位置を変え汚物が一箇所に山盛りになることを避ける。
〔洋式使用〕
図１２はベンチ台座を洋式使用としたものである。この場合は符号４の切り込みを縦約
２００ｍｍとり、排便穴を大きくすることで、便は直接マンホール内に落ちる。符号３０
は、金属等で出来あがった前たらしである。この便座は符号３２の手すりをつけ、便座の
前を広く取り、車椅子対応型にもなる。
【０００９】
トイレの組み立てに便座としてベンチ又はフラワーポットを利用する以外に、板または
ボード等でマンホールを覆い、汚物落し口の穴を開けたのみ（素掘りの穴に板を渡すタイ
プ）のトイレ組み立ても可能である。この場合においても板、ボード、目隠し等の備品一
式は、ベンチ又はフラワーポットに内蔵されたスペースに収納する。  
【００１０】
災害時に防災トイレとして使用することが指定されたマンホールの蓋には、予め直径１
５０ｍｍ程度の排便用穴を開けておき、蓋を取り外すこと無く、トイレの組み立てを可
能にする。この蓋の小穴はねじ込み式で、災害時において容易に取り外し可能な構造。
【００１１】
図１３は、ベンチやフラワーポットを組み直してマンホール上に作る台座を、マンホ
ール穴に落さず、安全に組み立てるための渡し木である。また余震等でトイレ台座が動い
た時安定を保持するためのマンホールに付ける根太。
【図面の簡単な説明】
【００１２】
【図１】ベンチ（並列置き）姿図
【図２】ベンチをトイレ仕様に組み立てた姿図
【図３】ベンチをトイレ仕様に組み立てた平面図
【図４】ベンチをトイレ仕様に組み立てた断面図
【図５】ベンチ（並列置き）横断面図
【図６】ベンチ縦断面図
【図７】フラワーポット（並列置き）姿図
【図８】フラワーポットをトイレ仕様に組み立てた姿図
【図９】フラワーポットをトイレ仕様に組み立てた断面図
【図１０】フラワーポット横断面図
【図１１】フラワーポット縦断面図
【図１２】洋式または車椅子対応型便座姿図
【図１３】マンホールの便器台座受け根太平面図
【符号の説明】
【００１３】
１    ベンチ台座（トイレ踏み台）
２    台座モザイク
３    ポール用ダボ穴
４    便器据付切り込み
５    側板A
６    敷石（トイレ踏み台）
７    台座連結金物
８    金物固定アンカーネジ
９    便器
１０  カーテンレール
１１  置石
１２  カーテン及び目隠し
１３  骨組みポール
１４  マンホール蓋受け金物
１５  アスファルトまたは土
１６  器具収納スペース
１７  側板B
１８  路面
１９  コンクリート桝
２０  側板C
２１  連結カバー金物
２２  側板D
２３  踏み石
２４  プランター土
２５  セラミック接着剤
２６  プランター区画材(水平)
２７  仕切材（縦）
２８  シュート
２９  シュート位置変更用紐
３０  金属等の前だれ
３１  マンホール内汚物落とし口
３２  障害者用手すり
３３  根太端部落とし込み金物
３４  マンホール蓋小窓
３５  マンホール蓋
【図１】
2008284048.tif 000003
【図２】
2008284048.tif 000004
【図３】
2008284048.tif 000005
【図４】
2008284048.tif 000006
【図５】
2008284048.tif 000007
【図６】
2008284048.tif 000008
【図７】
2008284048.tif 000009
【図８】
2008284048.tif 000010
【図９】
2008284048.tif 000011
【図１０】
2008284048.tif 000012
【図１１】
2008284048.tif 000013
【図１２】
2008284048.tif 000014
【図１３】
2008284048.tif 000015